(57)【要約】【課題】本発明は、ハウジングの内壁面とキャップ４０との間のシール性の低下を抑制できるベーンポンプを提供する。【解決手段】キャップ４０には、収容孔２１の底部に向けて長手方向に突出し、収容孔２１に収容される脚部４３が形成されている。収容孔２１を形成するベーン２０の内壁面のうち、ベーンポンプのロータの回転方向において対向する一対の内壁面のそれぞれを対向面とし、一対の対向面のうち、回転方向側の対向面を第１対向面２５ａとし、回転方向とは反対側の対向面を第２対向面２５ｂとする。この場合、脚部４３のうち根元側は、第１対向面２５ａに対向する第１ガイド面４５ａ及び第２対向面２５ｂに対向する第２ガイド面４５ｂが形成されたガイド部４５とされている。脚部４３のうちガイド部４５よりも先端側は、ロータの回転軸線方向から見た場合、回転方向側の端が第１ガイド面４５ａに対して後退する後退部４６とされている。【選択図】      図３
2019105179.tif 000002
【特許請求の範囲】
【請求項１】
内部にポンプ室が形成されたハウジングと、
前記ポンプ室に配置され、前記ポンプ室を複数の空間に区画するベーンと、
前記ベーンを回転させるロータと、
前記ベーンの長手方向の両端それぞれに設けられ、前記ハウジングの内壁面に当接するキャップと、を備え、
前記ベーンの長手方向の両端部それぞれには、前記ベーンの長手方向に延びる収容孔が形成されており、
前記キャップには、前記収容孔の底部に向けて前記長手方向に突出し、前記収容孔に収容される脚部が形成されており、
前記収容孔を形成する前記ベーンの内壁面のうち前記ロータの回転方向において対向する一対の内壁面のそれぞれを対向面とし、一対の前記対向面のうち、前記回転方向側の対向面を第１対向面とし、前記回転方向とは反対側の対向面を第２対向面とする場合、前記脚部のうち根元側は、前記第１対向面に対向する第１ガイド面及び前記第２対向面に対向する第２ガイド面が形成されたガイド部とされており、
前記脚部のうち前記ガイド部よりも先端側は、前記ロータの回転軸線方向から見た場合、前記回転方向側の端が前記第１ガイド面に対して後退する後退部とされているベーンポンプ。
【請求項２】
前記ロータの回転軸線方向から見た場合、前記後退部の前記回転方向側の端が、前記脚部の先端側にいくほど前記第１ガイド面に対して後退している請求項１に記載のベーンポンプ。
【請求項３】
前記後退部のうち前記第１対向面に対向する領域と前記第１ガイド面とが連続している請求項２に記載のベーンポンプ。
【請求項４】
前記ロータの回転軸線方向から見た場合、前記後退部の前記回転方向側の端が弧状とされている請求項３に記載のベーンポンプ。
【請求項５】
前記ロータの回転軸線方向から見た場合、前記後退部の前記回転方向とは反対側の端が前記第２ガイド面に対して後退している請求項１〜４のいずれか１項に記載のベーンポンプ。
【請求項６】
前記第２対向面において前記キャップと対向する領域のうち、前記ベーンの先端側の領域が、それ以外の領域に対して前記ベーンの先端側にいくほど後退している請求項１〜５のいずれか１項に記載のベーンポンプ。
【請求項７】
内部にポンプ室が形成されたハウジングと、
前記ポンプ室に配置され、前記ポンプ室を複数の空間に区画するベーンと、
前記ベーンを回転させるロータと、
前記ベーンの長手方向の両端それぞれに設けられ、前記ハウジングの内壁面に当接するキャップと、を備え、
前記ベーンの長手方向の両端部それぞれには、前記ベーンの長手方向に延びるとともに、前記キャップが収容される収容孔が形成されており、
前記収容孔を形成する前記ベーンの内壁面において前記ロータの回転方向で前記キャップと対向する領域のうち、前記ベーンの先端側の領域が、それ以外の領域に対して前記ベーンの先端側にいくほど後退しているベーンポンプ。
【発明の詳細な説明】
【技術分野】
【０００１】
本発明は、ベーンポンプに関する。
【背景技術】
【０００２】
従来、例えば特許文献１に記載されているように、内部にポンプ室が形成されたハウジングと、ポンプ室に配置されたベーンと、ベーンを回転させるロータと、ベーンの長手方向の両端それぞれに設けられたキャップとを備えるベーンポンプが知られている。キャップは、ハウジングの内壁面に当接する。ベーンの長手方向の両端部それぞれには、ベーンの長手方向に延びる収容孔が形成されている。キャップには、収容孔の底部に向けて長手方向に突出し、収容孔に収容される脚部が形成されている。
【０００３】
ロータの回転に伴ってベーンが回転する場合、収容孔を形成するベーンの内壁面に脚部が当接した状態で、キャップに作用する遠心力によりキャップがベーンから飛び出す。これにより、キャップがハウジングの内壁面に押し当てられ、ハウジングの内壁面とキャップとの間がシールされる。
【先行技術文献】
【特許文献】
【０００４】
【特許文献１】特開２０１５−１５２００３号公報
【発明の概要】
【発明が解決しようとする課題】
【０００５】
ベーンにより区画された複数の空間のうちキャップに対してロータの回転方向側にある空間が圧縮行程となる場合、キャップに対してロータの回転方向側にある空間の圧力が、キャップに対してロータの回転方向とは反対側にある空間の圧力よりも高くなる。この場合、脚部は、収容孔を形成するベーンの内壁面のうちロータの回転方向とは反対側の内壁面に押し付けられた状態となる。この状態でキャップがベーンから飛び出そうとすると、収容孔を形成するベーンの内壁面と脚部との間に隙間があることから、キャップが傾く。その結果、脚部のうちロータの回転方向側の先端が、収容孔を形成するベーンの内壁面にひっかかり、キャップをベーンから速やかに飛び出させることができなくなり得る。この場合、ハウジングの内壁面とキャップとの間のシール性が低下する懸念がある。
【０００６】
本発明は、ハウジングの内壁面とキャップとの間のシール性の低下を抑制できるベーンポンプを提供することを主たる目的とする。
【課題を解決するための手段】
【０００７】
第１の発明は、内部にポンプ室が形成されたハウジングと、前記ポンプ室に配置され、前記ポンプ室を複数の空間に区画するベーンと、前記ベーンを回転させるロータと、前記ベーンの長手方向の両端それぞれに設けられ、前記ハウジングの内壁面に当接するキャップと、を備える。前記ベーンの長手方向の両端部それぞれには、前記ベーンの長手方向に延びる収容孔が形成されており、前記キャップには、前記収容孔の底部に向けて前記長手方向に突出し、前記収容孔に収容される脚部が形成されており、前記収容孔を形成する前記ベーンの内壁面のうち前記ロータの回転方向において対向する一対の内壁面のそれぞれを対向面とし、一対の前記対向面のうち、前記回転方向側の対向面を第１対向面とし、前記回転方向とは反対側の対向面を第２対向面とする場合、前記脚部のうち根元側は、前記第１対向面に対向する第１ガイド面及び前記第２対向面に対向する第２ガイド面が形成されたガイド部とされており、前記脚部のうち前記ガイド部よりも先端側は、前記ロータの回転軸線方向から見た場合、前記回転方向側の端が前記第１ガイド面に対して後退する後退部とされている。
【０００８】
第１の発明では、キャップの脚部のうち根元側は、第１対向面に対向する第１ガイド面及び第２対向面に対向する第２ガイド面が形成されたガイド部とされている。また、脚部のうちガイド部よりも先端側は、ロータの回転軸線方向から見た場合、回転方向側の端が第１ガイド面に対して後退する後退部とされている。このため、キャップがベーンから飛び出そうとする場合、後退部の回転方向側の先端側が第１対向面にひっかかりにくくなる。これにより、キャップをベーンから速やかに飛び出させることができ、ひいてはハウジングの内壁面とキャップとの間のシール性の低下を抑制することができる。
【０００９】
第２の発明は、内部にポンプ室が形成されたハウジングと、前記ポンプ室に配置され、前記ポンプ室を複数の空間に区画するベーンと、前記ベーンを回転させるロータと、前記ベーンの長手方向の両端それぞれに設けられ、前記ハウジングの内壁面に当接するキャップと、を備える。前記ベーンの長手方向の両端部それぞれには、前記ベーンの長手方向に延びるとともに、前記キャップが収容される収容孔が形成されており、前記収容孔を形成する前記ベーンの内壁面において前記ロータの回転方向で前記キャップと対向する領域のうち、前記ベーンの先端側の領域が、それ以外の領域に対して前記ベーンの先端側にいくほど後退している。
【００１０】
第２の発明では、収容孔を形成するベーンの内壁面においてロータの回転方向でキャップと対向する領域のうち、ベーンの先端側の領域が、それ以外の領域に対してベーンの先端側にいくほど後退している。このため、ベーンから飛び出そうとするキャップが、ベーンの長手方向に対して、ロータの回転方向とは反対側の方向に傾きやすくなる。これにより、キャップにおいて収容孔に収容される部分のうち回転方向側の先端側が、ベーンの内壁面にひっかかりにくくなる。その結果、キャップをベーンから速やかに飛び出させることができ、ひいてはハウジングの内壁面とキャップとの間のシール性の低下を抑制することができる。
【図面の簡単な説明】
【００１１】
【図１】第１実施形態に係るベーンポンプの構成図。
【図２】図１のＩＩ−ＩＩ線断面図。
【図３】キャップとベーンの座面側とを示す図。
【図４】キャップがベーンの座面に当接している状態を示す図。
【図５】キャップの斜視図。
【図６】図３のＶＩ−ＶＩ線断面図。
【図７】ベーンポンプの構成図。
【図８】キャップが傾いている状態を示す図。
【図９】比較例に係るキャップの構成を示す図。
【図１０】比較例に係るキャップが傾いている状態を示す図。
【図１１】その他の実施形態に係るキャップの構成を示す図。
【図１２】その他の実施形態に係るキャップの構成を示す図。
【図１３】その他の実施形態に係るキャップとベーンの座面側とを示す図。
【発明を実施するための形態】
【００１２】
以下、本発明のベーンポンプを具体化した一実施形態について、図面を参照しつつ説明する。ベーンポンプは、例えば自動車の内燃機関に固定され、ブレーキ装置の制動倍力装置に負圧を発生させるようになっている。
【００１３】
図１〜図６を用いて、ベーンポンプ１０について説明する。
【００１４】
ベーンポンプ１０は、ハウジング１１を備えている。ハウジング１１は、例えば金属材料（例えばアルミニウム）で構成されており、基底部１１ａ、周壁部１１ｂ及びカバー部１１ｃを有している。なお、図１は、ベーンポンプ１０からカバー部１１ｃを取り外した状態において、ベーンポンプ１０をロータ１４の回転軸線方向から見た図である。
【００１５】
基底部１１ａには、ポンプ室１３を区画するための平坦面が形成されている。周壁部１１ｂは、基底部１１ａの平坦面の周縁部から立ち上がる部分であり、環状をなしている。周壁部１１ｂのうち、その壁面が延びる方向において基底部１１ａとは反対側の端部には、環状のリング溝１１ｄが形成されている。リング溝１１ｄには、シール部材であるＯリング１２が設けられている。周壁部１１ｂのうち、その壁面が延びる方向において基底部１１ａとは反対側の端部には、カバー部１１ｃが設けられている。カバー部１１ｃの内面は、平坦面とされている。周壁部１１ｂの端部とカバー部１１ｃとの間は、Ｏリング１２によりシールされている。基底部１１ａの内面、周壁部１１ｂの内壁面及びカバー部１１ｃの内面により囲まれた空間がポンプ室１３とされている。ポンプ室１３には、ロータ１４、ベーン２０及びキャップ４０が配置されている。
【００１６】
ロータ１４は、中空の円筒状をなしている。ロータ１４の長手方向の一端には、ロータ１４の径方向に延びるガイド溝１４ａが形成されている。ガイド溝１４ａには、この溝１４ａに沿って摺動可能にベーン２０が設けられている。ロータ１４の長手方向の他端は、基底部１１ａに形成された開口を通って、ハウジング１１の外部に設けられた軸部１５に接続されている。軸部１５は、円柱状をなしている。軸部１５の長手方向における両端のうち、ロータ１４が設けられた側とは反対側には、カップリング１６を介して内燃機関のカムシャフトが接続される。
【００１７】
ロータ１４は、その回転軸線方向から見た場合においてポンプ室１３の中心からずれた位置に設けられ、具体的には、外周面の一部が周壁部１１ｂの内壁面の一部と常時当接した状態で設けられている。周壁部１１ｂのうちロータ１４と周壁部１１ｂとの当接部よりもロータ１４の回転方向側には、吸引通路１７に連通する開口が形成されている。吸引通路１７は、制動倍力装置の負圧空間と連通し、その空間からポンプ室１３へと気体を吸引するための通路である。なお、吸引通路１７には、この通路１７を開閉し、例えば内燃機関が停止される場合に、制動倍力装置の負圧空間の負圧を保持するための図示しない吸入側逆止弁が設けられている。
【００１８】
周壁部１１ｂのうちロータ１４と周壁部１１ｂとの当接部付近の基底部１１ａには、排出通路１８が形成されている。排出通路１８は、ポンプ室１３からその外部に気体を排出するための通路である。排出通路１８には、この通路１８を開閉し、外部からポンプ室１３への気体の逆流を防止するための排出側逆止弁１９が設けられている。
【００１９】
ベーン２０は、長尺状をなし、例えば合成樹脂で構成されている。ベーン２０のうちカバー部１１ｃと対向する部分は、カバー部１１ｃの内面と当接する。ベーン２０のうち基底部１１ａの内面と対向する部分は、基底部１１ａの内面と当接する。
【００２０】
ベーン２０の長手方向の両端のそれぞれには、その長手方向に延びる収容孔２１が形成されている。本実施形態では、ベーン２０の両端のそれぞれに、収容孔２１が２つずつ形成されている。各収容孔２１を形成するベーン２０の内壁面のうち、ロータ１４の回転方向において対向する一対の内壁面は、平行である。また、ベーン２０の長手方向の両端のそれぞれには、キャップ４０が当接する座面２３が形成されている。
【００２１】
軸部１５には、給油通路３０が形成されている。給油通路３０は、軸部１５の長手方向に延びる通路と、その通路から軸部１５の径方向に分岐して軸部１５の外周面まで延びる通路とから構成されている。給油通路３０から供給された潤滑油は、軸部１５と基底部１１ａとの間の隙間を介してポンプ室１３に流入する。
【００２２】
キャップ４０は、ベーン２０の長手方向の両端それぞれに設けられている。キャップ４０は、例えば合成樹脂で構成され、本体部４１と、収容孔２１に収容される被収容部４２とを備えている。本体部４１は、ロータ１４の回転軸線方向に延びる部分であり、ロータ１４の回転軸線方向から見た場合に半円形状をなしている。本体部４１の外周面のうち円弧部分が、周壁部１１ｂの内壁面に当接する。本体部４１のうち、カバー部１１ｃ及び基底部１１ａそれぞれの内面と対向する部分は、対向する内面に当接するカバー当接面４１ｂとされている。キャップ４０をベーン２０の長手方向から見た場合、キャップ４０はベーン２０からはみ出していない。
【００２３】
被収容部４２のうち、ベーン２０の長手方向において本体部４１が設けられた側が根元部４４とされている。根元部４４のうちベーン２０の長手方向において本体部４１とは反対側の端は、弧状とされている。根元部４４の弧状部分は、脚部４３を挟んで３つ形成されている。ベーン２０には、根元部４４の各弧状部分に当接する受部２４が形成されている。各受部２４は、弧状とされている。
【００２４】
本体部４１においてベーン２０と対向する部分のうち、根元部４４と接続されていない部分は、座面２３と当接する着座面４１ａとされている。着座面４１ａは、本体部４１においてベーン２０と対向する部分のうち根元部４４を挟んで一対形成されている。キャップ４０の着座面４１ａがベーン２０の座面２３に当接した状態において、キャップ４０のうち着座面４１ａよりもベーン２０側の部分が被収容部４２である。
【００２５】
被収容部４２のうち、収容孔２１の底部２２に向けてベーン２０の長手方向に根元部４４から部分的に突出する部分が脚部４３とされている。脚部４３は、ベーン２０の両端それぞれに形成された収容孔２１の数と同数（２つ）形成されている。
【００２６】
被収容部４２のうちベーン２０の回転に伴って収容孔２１から露出する領域を含む露出部４４ａは、カバー当接面４１ｂまで延びている。本体部４１が延びる方向における露出部４４ａの両端の側面のそれぞれは、カバー当接面４１ｂと連続している。このため、露出部４４ａの両端の側面のうち、一方は基底部１１ａの内面に当接し、他方はカバー部１１ｃの内面に当接する。
【００２７】
カムシャフトからの回転力が、軸部１５及びカップリング１６を介してロータ１４に伝達される。これにより、ロータ１４が回転する。ロータ１４の回転に伴って、ベーン２０は、ポンプ室１３を常に２つの空間に区画しながら回転する。また、ロータ１４の回転に伴ってベーン２０が回転すると、キャップ４０に作用する遠心力により、収容孔２１を形成するベーン２０の内壁面に脚部４３が当接した状態でキャップ４０がベーン２０から飛び出す。これにより、本体部４１の円弧部分が周壁部１１ｂの内壁面に押し当てられ、周壁部１１ｂの内壁面とキャップ４０との間がシールされる。
【００２８】
本実施形態では、ベーン２０の長手方向における露出部４４ａの長さ寸法が、キャップ４０がベーン２０から飛び出した場合にベーン２０の長手方向における着座面４１ａと座面２３との間の隙間の最大値よりも大きく設定されている。これにより、キャップ４０がベーン２０から飛び出した場合であっても、ベーン２０により区画された２つの空間のうちキャップ４０に対してロータ１４の回転方向側にある空間から、キャップ４０に対して回転方向とは反対側にある空間への気体の漏れを抑制する。
【００２９】
図３及び図４に示すように、収容孔２１を形成するベーン２０の内壁面のうちロータ１４の回転方向において対向する一対の平行な内壁面のそれぞれを対向面とする。一対の対向面のうち、回転方向側の対向面を第１対向面２５ａとし、回転方向とは反対側の対向面を第２対向面２５ｂとする。脚部４３の根元側は、第１対向面２５ａに対向するとともに第１対向面２５ａに平行な第１ガイド面４５ａと、第２対向面２５ｂに対向するとともに第２対向面２５ｂに平行な第２ガイド面４５ｂとが形成されたガイド部４５とされている。第１ガイド面４５ａは、根元部４４のうち、第１対向面２５ａに対向してかつ第１対向面２５ａに当接する面と連続している。第２ガイド面４５ｂは、根元部４４のうち、第２対向面２５ｂに対向してかつ第２対向面２５ｂに当接する面と連続している。
【００３０】
脚部４３のうちガイド部４５よりも先端側は、後退部４６とされている。後退部４６は、ロータ１４の回転軸線方向から見た場合、回転方向側の端が、脚部４３の先端側にいくほど第１ガイド面４５ａに対して連続的に後退している。換言すれば、ロータ１４の回転軸線方向から見た場合における後退部４６の回転方向側の端と、第１対向面２５ａとは、脚部４３の先端側にいくほど離れている。具体的には、ロータ１４の回転軸線方向から見た場合、後退部４６の回転方向側の端が弧状とされている。また、ガイド部４５と後退部４６との間には段差が形成されておらず、後退部４６のうち第１対向面２５ａに対向する領域と第１ガイド面４５ａとは連続している。後退部４６の端が弧状とされていること、及び後退部４６のうち第１対向面２５ａに対向する領域と第１ガイド面４５ａとが連続していることは、キャップ４０をベーン２０から速やかに飛び出させるためである。
【００３１】
つまり、例えば図７に示すように、ベーン２０により２つに区画されたポンプ室１３のうちキャップ４０に対してロータ１４の回転方向側にある空間が圧縮行程となり得る。この場合、キャップ４０に対して回転方向側にある空間の圧力が、キャップ４０に対して回転方向とは反対側にある空間の圧力よりも高くなる。このとき、脚部４３の第２ガイド面４５ｂは、第２対向面２５ｂに押し付けられた状態となる。この状態でキャップ４０がベーン２０から飛び出そうとすると、ベーン２０の内壁面と脚部４３との間に隙間があることから、例えば図８に示すように、キャップ４０が傾く。ここで、本実施形態では、後退部４６の端が弧状とされている。このため、キャップ４０がベーン２０から飛び出そうとする場合、後退部４６の回転方向側の先端が第１対向面２５ａにひっかかりにくくなる。また、本実施形態では、後退部４６のうち第１対向面２５ａに対向する領域と第１ガイド面４５ａとが連続している。このため、キャップ４０がベーン２０から飛び出そうとする場合、脚部４３のうち第１対向面２５ａに対向する部分が第１対向面２５ａにひっかかりにくくなる。これにより、キャップ４０をベーン２０から速やかに飛び出させることができ、ひいては周壁部１１ｂの内壁面とキャップ４０との間のシール性の低下を抑制することができる。
【００３２】
続いて、図９及び図１０を用いて比較例について説明する。なお、図９及び図１０において、先の図３及び図４に示した構成と同一の構成については、便宜上、同一の符号を付している。
【００３３】
比較例では、脚部４３のうち第１対向面２５ａに対向する領域が、第１対向面２５ａに平行な第１ガイド面５０ａとされている。また、脚部４３のうち第２対向面２５ｂに対向する領域が、第２対向面２５ｂに平行な第２ガイド面５０ｂとされている。第１，第２ガイド面５０ａ，５０ｂは、脚部４３の根元から先端に渡って形成されている。このため、比較例では、ロータ１４の回転軸線方向から見た場合に脚部４３の先端が直角状となっている。比較例では、キャップ４０がベーン２０から飛び出そうとすると、例えば図１０に示すように、キャップ４０が傾く。その結果、脚部４３のうちロータ１４の回転方向側の直角状の先端が、第１対向面２５ａにひっかかり、キャップ４０をベーン２０から速やかに飛び出させることができなくなる。これにより、周壁部１１ｂの内壁面とキャップ４０との間のシール性が低下し、ベーンポンプ１０の吸引性能が低下する懸念がある。これに対し、本実施形態では、脚部４３の先端が弧状とされているため、脚部４３の先端側が第１対向面２５ａにひっかかりにくくなる。
【００３４】
続いて、図３〜図５を用いて、本実施形態の後退部４６についてさらに説明する。
【００３５】
後退部４６は、ロータ１４の回転軸線方向から見た場合、ロータ１４の回転方向とは反対側の端が、脚部４３の先端側にいくほど第２ガイド面４５ｂに対して連続的に後退している。具体的には、ロータ１４の回転軸線方向から見た場合、後退部４６の回転方向とは反対側の端が弧状とされている。また、後退部４６のうち第２対向面２５ｂに対向する領域と第２ガイド面４５ｂとは連続している。このため、第１，第２ガイド面４５ａ，４５ｂが対向する方向における脚部４３の幅寸法が、脚部４３の根元側から先端側にかけて連続している。後退部４６の端が弧状とされていること、及び後退部４６のうち第２対向面２５ｂに対向する領域と第２ガイド面４５ｂとが連続していることは、キャップ４０をベーン２０から速やかに飛び出させるためである。
【００３６】
つまり、ベーン２０により２つに区画されたポンプ室１３のうちキャップ４０に対してロータ１４の回転方向側にある空間の圧力と、キャップ４０に対して回転方向とは反対方向側にある空間の圧力との差が小さくなることがある。圧力差が小さくなる状態は、例えば図１に示す状態である。この場合、第２ガイド面４５ｂが第２対向面２５ｂに押し付けられる状態が継続されず、第１ガイド面４５ａが第１対向面２５ａに押し付けられたり、収容孔２１においてキャップ４０が振動したりする状態となり得る。この場合であっても、後退部４６の端が弧状とされていることにより、後退部４６の回転方向とは反対側の先端側が第２対向面２５ｂにひっかかりにくくなる。また、後退部４６のうち第２対向面２５ｂに対向する領域と第２ガイド面４５ｂとが連続していることにより、脚部４３のうち第２対向面２５ｂに対向する部分が第２対向面２５ｂにひっかかりにくくなる。これにより、キャップ４０をベーン２０から速やかに飛び出させることができる。
【００３７】
以上説明した本実施形態によれば、以下の効果が得られるようになる。
【００３８】
脚部４３のうちガイド部４５よりも先端側は、ロータ１４の回転軸線方向から見た場合、回転方向側の端が第１ガイド面４５ｂに対して後退する後退部４６とされている。このため、キャップ４０がベーン２０から飛び出そうとする場合、後退部４６の回転方向側の先端側が第１対向面２５ａにひっかかりにくくなる。これにより、キャップ４０をベーン２０から速やかに飛び出させることができ、ひいては周壁部１１ｂの内壁面とキャップ４０との間のシール性の低下を抑制することができる。したがって、ベーンポンプ１０の吸引性能の低下を抑制することができる。
【００３９】
ロータ１４の回転軸線方向から見た場合、後退部４６の回転方向側の端が、脚部４３の先端側にいくほど第１ガイド面４５ａに対して後退している。具体的には、後退部４６は、弧状とされている。これにより、後退部４６の回転方向側の先端側が第１対向面２５ａにいっそうひっかかりにくくなる。
【００４０】
後退部４６のうち第１対向面２５ａに対向する領域と第１ガイド面４５ａとが連続している。このため、ガイド部４５と後退部４６とを滑らかにつなぐことができ、脚部４３のうち第１対向面２５ａに対向する部分が第１対向面２５ａにひっかかりにくくなる。これにより、キャップ４０をベーン２０から速やかに飛び出させることができ、ベーンポンプ１０の吸引性能の低下を抑制することができる。
【００４１】
ロータ１４の回転軸線方向から見た場合、後退部４６の回転方向とは反対方向側の端が、第２ガイド面４５ｂに対して後退している。これにより、ベーン２０により区画された２つの空間の圧力差が小さい場合であっても、後退部４６の回転方向とは反対方向側の先端側が第２対向面２５ｂにひっかかりにくくなる。その結果、キャップ４０をベーン２０から速やかに飛び出させることができ、ベーンポンプ１０の吸引性能の低下を抑制することができる。
【００４２】
＜その他の実施形態＞
なお、上記実施形態は、以下のように変更して実施してもよい。
【００４３】
・後退部の形状としては、先の図３に示したものに限らない。例えば、図１１に示すように、ロータ１４の回転軸線方向から見た場合、回転方向側の端が第１ガイド面４５ａに対して直線的に後退し、回転方向とは反対側の端が第２ガイド面４５ｂに対して直線的に後退する後退部４７であってもよい。図１１に示す例では、着座面４１ａが座面２３から離間してキャップ４０が飛び出した状態において、キャップ４０が傾いたとしても、ロータ１４の回転方向側における後退部４７の先端が第１対向面２５ａに角当たりせず、上記回転方向とは反対側における後退部４７の先端が第２対向面２５ｂに角当たりしないようになっている。後退部４７のうち第１対向面２５ａに対向する面と、第１ガイド面４５ａとのなす角度は鈍角である。また、後退部４７のうち第２対向面２５ｂに対向する面と、第２ガイド面４５ｂとのなす角度は鈍角である。このため、図９に示した比較例と比較して、脚部４３の先端側が第１，第２対向面２５ａ，２５ｂにひっかかりにくくなる。なお、図１１に示す後退部４７の回転方向とは反対側の端を第２ガイド面４５ｂに対して後退させることは必須ではない。
【００４４】
・ガイド部と滑らかにつながれる後退部の形状としては、図１２に示す後退部４８であってもよい。図１２に示す例では、着座面４１ａが座面２３から離間してキャップ４０が飛び出した状態において、キャップ４０が傾いたとしても、ロータ１４の回転方向側における後退部４８の先端が第１対向面２５ａに角当たりせず、上記回転方向とは反対側における後退部４８の先端が第２対向面２５ｂに角当たりしないようになっている。後退部４８のうち第１対向面２５ａに対向する面の第１ガイド面４５ａ側は、弧状とされている。また、後退部４８のうち第２対向面２５ｂに対向する面の第２ガイド面４５ｂ側は、弧状とされている。このため、図９に示した比較例と比較して、脚部４３の先端側が第１，第２対向面２５ａ，２５ｂにひっかかりにくくなる。なお、図１２に示す後退部４８の回転方向とは反対側の端を第２ガイド面４５ｂに対して後退させることは必須ではない。
【００４５】
・図３、図１１及び図１２に示すように、ロータ１４の回転軸線方向から見た場合、後退部の回転方向側の端と、後退部の回転方向とは反対側の端とが、ベーン２０の長手方向に延びる基準線に対して対称であることは必須ではなく、対称でなくてもよい。
【００４６】
・上記実施形態では、ロータ１４の回転軸線方向から見た場合、後退部４６の回転方向側の端が、脚部４３の先端側にいくほど第１ガイド面４５ａに対して後退していたがこれに限らない。例えば、第１ガイド面４５ａ及び第２ガイド面４５ｂが対向する方向における後退部の幅寸法が、ガイド部の幅寸法よりも小さくて、かつ、ベーン２０の長手方向に渡って同じであってもよい。この場合、ガイド部と後退部との境界に段差ができることとなる。
【００４７】
・図１３に示すように、第２対向面２５ｂにおいて被収容部４２と対向する領域のうち、ベーン２０の長手方向における先端側の領域である第２傾斜領域２６ｂが、それ以外の領域に対して、ベーン２０の先端側にいくほど連続的に後退していてもよい。ベーン２０の長手方向における第２傾斜領域２６ｂの長さ寸法は、ベーン２０の長手方向における第２ガイド面４５ｂの長さ寸法よりも小さくされていればよい。第２傾斜領域２６ｂが設けられることにより、ベーン２０から飛び出そうとするキャップ４０が、ベーン２０の長手方向に対して、ロータ１４の回転方向とは反対側の方向に傾きやすくなる。これにより、脚部４３の回転方向側の先端が第１対向面２５ａにひっかかりにくくなる。その結果、キャップ４０をベーン２０から速やかに飛び出させることができ、ひいてはベーンポンプ１０の吸引性能の低下を抑制することができる。
【００４８】
・図１３に示すように、第１対向面２５ａにおいて被収容部４２と対向する領域のうち、ベーン２０の長手方向における先端側の領域である第１傾斜領域２６ａが、それ以外の領域に対してベーン２０の先端側にいくほど連続的に後退してもよい。ベーン２０の長手方向における第１傾斜領域２６ａの長さ寸法は、ベーン２０の長手方向における第１ガイド面４５ａの長さ寸法よりも小さくされていればよい。この構成は、ベーン２０により区画された２つの空間の圧力差が小さい場合であっても、脚部４３の回転方向とは反対側の先端を第２対向面２５ｂにひっかかりにくくさせるためのものである。ただし、第１傾斜領域２６ａは必須ではない。
【００４９】
・図１３に示す構成において、キャップ４０を、図９に示す比較例のものに代えてもよい。この場合であっても、第２傾斜領域２６ｂが設けられていることにより、ベーン２０から飛び出そうとするキャップ４０を、ロータ１４の回転方向とは反対側の方向に傾きやすくすることはできる。
【００５０】
・上記実施形態では、ロータ１４の回転軸線方向から見た場合、脚部の先端が半円形状とされていたがこれに限らず、例えば半球形状とされていてもよい。
【００５１】
・キャップの脚部は２つに限らず、例えば、１つ又は３つであってもよい。
【符号の説明】
【００５２】
１０…ベーンポンプ、１１…ハウジング、１３…ポンプ室、１４…ロータ、２０…ベーン、２１…収容孔、２５ａ，２５ｂ…第１，第２対向面、４０…キャップ、４３…脚部、４５…ガイド部、４５ａ，４５ｂ…第１，第２ガイド面、４６…後退部。
【図１】
2019105179.tif 000003
【図２】
2019105179.tif 000004
【図３】
2019105179.tif 000005
【図４】
2019105179.tif 000006
【図５】
2019105179.tif 000007
【図６】
2019105179.tif 000008
【図７】
2019105179.tif 000009
【図８】
2019105179.tif 000010
【図９】
2019105179.tif 000011
【図１０】
2019105179.tif 000012
【図１１】
2019105179.tif 000013
【図１２】
2019105179.tif 000014
【図１３】
2019105179.tif 000015